(57)【要約】【課題】施工性を向上させることが可能な通気路形成用スペーサ、屋根裏構造および通気路形成用板材を提供する。【解決手段】同方向に延在する一対の第１端縁部１０２ａ，１０２ｂおよび一対の第１端縁部１０２ａ，１０２ｂに交差する一対の第２端縁部１７ｃ，１７ｄを有する本体部１０１と、一対の第１端縁部１０２ａ，１０２ｂから立ち上がる一対の起立部１１１ａ，１１１ｂと、第１端縁部１０２ａ，１０２ｂの延在方向における一対の起立部１１１ａ，１１１ｂの両端部から、本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄと、を有する。【選択図】図６
2020016126.tif 000002
【特許請求の範囲】
【請求項１】
同方向に延在する一対の垂木間に設けられて屋根裏側に通気路を形成する通気路形成用スペーサであって、
同方向に延在する一対の第１端縁部および前記一対の第１端縁部に交差する一対の第２端縁部を有する本体部と、
前記一対の第１端縁部から立ち上がる一対の起立部と、
前記第１端縁部の延在方向における前記一対の起立部の両端部から、前記本体部とは反対側に折り曲げられて該本体部よりも前記起立部とは反対方向に突出する折曲突出部と、を有することを特徴とする通気路形成用スペーサ。
【請求項２】
前記折曲突出部は、折り曲げ前は前記起立部から前記第１端縁部に沿って延出しており、前記起立部の基端縁部に対し鋭角をなす折り線で折り曲げられていることを特徴とする請求項１に記載の通気路形成用スペーサ。
【請求項３】
前記本体部は、前記折曲突出部よりも前記第１端縁部の延在方向外側に突出する本体突出部を有することを特徴とする請求項１または２に記載の通気路形成用スペーサ。
【請求項４】
請求項１から３のいずれか一項に記載の通気路形成用スペーサが、前記一対の起立部を前記一対の垂木に沿って配置し、前記折曲突出部を前記本体部よりも室内側に突出させて、前記折曲突出部において前記垂木に取り付けられていることを特徴とする屋根裏構造。
【請求項５】
請求項３に記載の通気路形成用スペーサが、前記一対の起立部を前記一対の垂木に沿って配置し、前記折曲突出部を前記本体部よりも室内側に突出させて、前記折曲突出部において前記垂木に取り付けられるとともに、前記本体部同士を重ね合わせて前記垂木の延在方向に複数連設されていることを特徴とする屋根裏構造。
【請求項６】
前記本体部の室内側に断熱材が吹き付けられていることを特徴とする請求項４または５に記載の屋根裏構造。
【請求項７】
同方向に延在する一対の垂木間に設けられて屋根裏側に通気路を形成する通気路形成用スペーサとなる通気路形成用板材であって、
同方向に延在する一対の第１辺部と、
前記一対の第１辺部に交差する一対の第２辺部とを有し、
前記一対の第２辺部から前記一対の第１辺部に沿って延びるスリットが四隅に形成されており、
一方の前記第１辺部に近い両側の前記スリットを結んで延在する折り曲げ容易な一側の側部易折曲部と、
他方の前記第１辺部に近い両側の前記スリットを結んで延在する折り曲げ容易な他側の側部易折曲部と、
各前記スリットから、鈍角をなしてそれぞれ近い側の前記第１辺部に延びる折り曲げ容易な隅側易折曲部と、を有することを特徴とする通気路形成用板材。
【請求項８】
前記一側の側部易折曲部および前記他側の側部易折曲部は谷折り容易であり、各前記隅側易折曲部は山折り容易であることを特徴とする請求項７に記載の通気路形成用板材。
【発明の詳細な説明】
【技術分野】
【０００１】
本発明は、通気路形成用スペーサ、屋根裏構造および通気路形成用板材に関する。
【背景技術】
【０００２】
一般に、家屋の屋根は、平行に設置された複数本の垂木の上に野地板が取り付けられて形成されている。このような屋根の屋根裏側に通気路を形成するために、垂木間に通気路形成用スペーサを設置することが行われている（例えば、特許文献１参照）。また、このように垂木間に設置された通気路形成用スペーサの室内側に断熱材を設置することも行われている（例えば、特許文献２，３参照）。また、垂木間に設置された通気路形成用スペーサの室内側に発泡する断熱材を吹き付けて断熱層を形成することも行われている（例えば、特許文献４参照）。
【先行技術文献】
【特許文献】
【０００３】
【特許文献１】特開２０１２−４１７４１号公報
【特許文献２】特許第３４００７６６号公報
【特許文献３】特許第５０５８２４１号公報
【特許文献４】特許第５４７７９９０号公報
【発明の概要】
【発明が解決しようとする課題】
【０００４】
ところで、通気路形成用スペーサは、垂木の延在方向に複数連設されて垂木に取り付けられることになるが、その際の施工性の向上が求められている。
【０００５】
したがって、本発明は、施工性を向上させることが可能な通気路形成用スペーサ、屋根裏構造および通気路形成用板材の提供を目的とする。
【課題を解決するための手段】
【０００６】
上記目的を達成するために、本発明の通気路形成用スペーサは、同方向に延在する一対の垂木間に設けられて屋根裏側に通気路を形成する通気路形成用スペーサであって、同方向に延在する一対の第１端縁部および前記一対の第１端縁部に交差する一対の第２端縁部を有する本体部と、前記一対の第１端縁部から立ち上がる一対の起立部と、前記第１端縁部の延在方向における前記一対の起立部の両端部から、前記本体部とは反対側に折り曲げられて該本体部よりも前記起立部とは反対方向に突出する折曲突出部と、を有することを特徴とする。
【０００７】
このように、本体部の一対の第１端縁部から立ち上がる一対の起立部の、第１端縁部の延在方向における両端部から、本体部とは反対側に折り曲げられて本体部よりも起立部とは反対方向に突出する折曲突出部を有する。作業者は、一対の起立部を一対の垂木に沿って配置し、折曲突出部を本体部よりも室内側に突出させた状態で、折曲突出部において通気路形成用スペーサを垂木に取り付けることになる。その際に、通気路形成用スペーサは、垂木の延在方向において折曲突出部が通気路形成用スペーサの端部近傍に配置されることになる。よって、通気路形成用スペーサを垂木の延在方向に複数連設する際に、既設のものの折曲突出部の近傍に次設のものの折曲突出部が位置することになり、既設のものに対する位置を合わせての次設のものの垂木への取り付けが容易となる。よって、通気路形成用スペーサを垂木の延在方向に複数連設して垂木に取り付ける際の施工性を向上させることが可能となる。
【０００８】
また、本体部から立ち上がる一対の起立部の両端部から本体部とは反対側に折り曲げられて本体部よりも起立部とは反対方向に突出する折曲突出部を有するため、一枚の板材を折り曲げて容易に製造することができる。また、本体部から立ち上がる一対の起立部の両端部から本体部とは反対側に折り曲げられて本体部よりも起立部とは反対方向に突出する折曲突出部を有するため、垂木に取り付けられる折曲突出部を形成しても、本体部の範囲内に切欠きや穴、スリット等、本体部を板厚方向に貫通する部分を形成する必要がなく、室内側から断熱材を吹き付けても断熱材が通気路側に入り込むことを抑制することができる。
【０００９】
この場合、前記折曲突出部は、折り曲げ前は前記起立部から前記第１端縁部に沿って延出しており、前記起立部の基端縁部に対し鋭角をなす折り線で折り曲げられていても良い。
【００１０】
このように、折り曲げ前は起立部から第１端縁部に沿って延出している折曲突出部を、起立部の基端縁部に対し鋭角をなす折り線で折り曲げて、本体部よりも起立部とは反対方向に突出させるため、折曲突出部の形成が容易となる。
【００１１】
この場合、前記本体部は、前記折曲突出部よりも前記第１端縁部の延在方向外側に突出する本体突出部を有していても良い。
【００１２】
このように、本体部が折曲突出部よりも第１端縁部の延在方向外側に突出する本体突出部を有することで、通気路形成用スペーサを垂木の延在方向に複数連設する際に、隣り合うもの同士の本体部を重ね合わせることができる。よって、通気路の室内側への連通を抑制することができる。
【００１３】
本発明の屋根裏構造は、上記した通気路形成用スペーサが、前記一対の起立部を前記一対の垂木に沿って配置し、前記折曲突出部を前記本体部よりも室内側に突出させて、前記折曲突出部において前記垂木に取り付けられていることを特徴とする。
【００１４】
このように、通気路形成用スペーサが、一対の起立部を一対の垂木に沿って配置し、折曲突出部を本体部よりも室内側に突出させて、折曲突出部において垂木に取り付けられているため、通気路形成用スペーサを垂木の延在方向に複数連設して垂木に取り付ける際の施工性を向上させることが可能となる。
【００１５】
本発明の屋根裏構造は、上記した通気路形成用スペーサが、前記一対の起立部を前記一対の垂木に沿って配置し、前記折曲突出部を前記本体部よりも室内側に突出させて、前記折曲突出部において前記垂木に取り付けられるとともに、前記本体部同士を重ね合わせて前記垂木の延在方向に複数連設されていることを特徴とする。
【００１６】
このように、通気路形成用スペーサが、一対の起立部を一対の垂木に沿って配置し、折曲突出部を本体部よりも室内側に突出させて、折曲突出部において垂木に取り付けられ、しかも、本体部同士を重ね合わせて垂木の延在方向に複数連設されているため、通気路の室内側への連通を抑制することができる。
【００１７】
この場合、前記本体部の室内側に断熱材が吹き付けられていても良い。
【００１８】
このように、本体部の室内側に断熱材が吹き付けられる際に、通気路形成用スペーサが、本体部から立ち上がる一対の起立部の両端部から本体部とは反対側に折り曲げられて本体部よりも起立部とは反対方向に突出する折曲突出部を有するため、垂木に取り付けられる折曲突出部を形成しても、本体部の範囲内に、切欠きや穴、スリット等、本体部を板厚方向に貫通する部分を形成する必要がなく、室内側から断熱材を吹き付けても断熱材が通気路側に入り込むことを抑制することができる。
【００１９】
本発明の通気路形成用板材は、同方向に延在する一対の垂木間に設けられて屋根裏側に通気路を形成する通気路形成用スペーサとなる通気路形成用板材であって、同方向に延在する一対の第１辺部と、前記一対の第１辺部に交差する一対の第２辺部とを有し、前記一対の第２辺部から前記一対の第１辺部に沿って延びるスリットが四隅に形成されており、一方の前記第１辺部に近い両側の前記スリットを結んで延在する折り曲げ容易な一側の側部易折曲部と、他方の前記第１辺部に近い両側の前記スリットを結んで延在する折り曲げ容易な他側の側部易折曲部と、各前記スリットから、鈍角をなしてそれぞれ近い側の前記第１辺部に延びる折り曲げ容易な隅側易折曲部と、を有することを特徴とする。
【００２０】
このように、一方の第１辺部に近い両側のスリットを結んで延在する折り曲げ容易な一側の側部易折曲部と、他方の第１辺部に近い両側のスリットを結んで延在する折り曲げ容易な他側の側部易折曲部と、各スリットから、それぞれ近い側の第１辺部に延びる折り曲げ容易な隅側易折曲部と、を有するため、一方の第１辺部に近い折り曲げ容易な一側の側部易折曲部を谷折りし、他方の第１辺部に近い折り曲げ容易な他側の側部易折曲部を谷折りし、各スリットから鈍角をなしてそれぞれ近い側の第１辺部に延びる折り曲げ容易な隅側易折曲部を山折りすると、本体部から立ち上がる一対の起立部の両端部から本体部とは反対側に折り曲げられて本体部よりも起立部とは反対方向に突出する折曲突出部を有する通気路形成用スペーサとなる。よって、容易に通気路形成用スペーサを形成することができる。
【００２１】
この場合、前記一側の側部易折曲部および前記他側の側部易折曲部は谷折り容易であり、各前記隅側折曲部は山折り容易であっても良い。
【００２２】
このように、一側の側部易折曲部および他側の側部易折曲部は谷折り容易であり、各隅側折曲部は山折り容易であるため、一側の側部易折曲部の谷折りが容易となり、他側の側部易折曲部の谷折りが容易となり、各隅側易折曲部の山折りが容易となる。よって、さらに容易に通気路形成用スペーサを形成することができる。
【発明の効果】
【００２３】
本発明によれば、施工性を向上させることが可能となる。
【図面の簡単な説明】
【００２４】
【図１】本発明に係る一実施形態の通気路形成用板材を示す平面図である。
【図２】本発明に係る一実施形態の通気路形成用板材の要部を示す部分拡大平面図である。
【図３】本発明に係る一実施形態の通気路形成用板材の側部易折曲部近傍を示す部分拡大断面図である。
【図４】本発明に係る一実施形態の通気路形成用板材の隅側易折曲部近傍を示す部分拡大断面図である。
【図５】本発明に係る一実施形態の通気路形成用板材の要部の変形例を示す部分拡大平面図である。
【図６】本発明に係る一実施形態の通気路形成用スペーサを示す斜視図である。
【図７】本発明に係る一実施形態の屋根裏構造を示す斜視図である。
【図８】本発明に係る一実施形態の屋根裏構造を示す部分拡大正断面図である。
【図９】本発明に係る一実施形態の屋根裏構造を示す部分拡大側断面図である。
【図１０】本発明に係る一実施形態の屋根裏構造を示す部分拡大正断面図である。
【発明を実施するための形態】
【００２５】
本発明の一実施形態を図面を参照して以下に説明する。
【００２６】
［通気路形成用板材］
まず、図１〜図５を参照して本実施形態の通気路形成用板材１０について説明する。
【００２７】
通気路形成用板材１０は、全体として平板状に形成されている。図１に示すように、通気路形成用板材１０は、同方向に延在する一対の第１辺部１１ａ，１１ｂと、一対の第１辺部１１ａ，１１ｂに交差する一対の第２辺部１１ｃ，１１ｄとを有している。具体的に、一対の第１辺部１１ａ，１１ｂは、いずれも直線状に形成されており、長さが同等で互いに平行に形成されている。一対の第２辺部１１ｃ，１１ｄは、いずれも直線状に形成されており、長さが同等で互いに平行に形成されている。第１辺部１１ａ，１１ｂと第２辺部１１ｃ，１１ｄとは直交している。
【００２８】
通気路形成用板材１０は、第１辺部１１ａ，１１ｂの長さが第２辺部１１ｃ，１１ｄの長さよりも長く、全体として長方形状に形成されている。なお、第１辺部１１ａ，１１ｂおよび第２辺部１１ｃ，１１ｄの長さを同等にして全体として正方形状に形成することも可能であり、第１辺部１１ａ，１１ｂの長さが第２辺部１１ｃ，１１ｄの長さよりも短い長方形状に形成することも可能である。しなしながら、通気路形成用板材１０は、後述する通気路形成用スペーサ１００となって、複数連設されることから、連設方向に長い長方形状とするのが好ましい。
【００２９】
通気路形成用板材１０には、一対の第２辺部１１ｃ，１１ｄから一対の第１辺部１１ａ，１１ｂに沿って延びるスリット１５ａｃ，１５ｂｃ，１５ａｄ，１５ｂｄが四隅に形成されている。すなわち、スリット１５ａｃ，１５ｂｃ，１５ａｄ，１５ｂｄは、通気路形成用板材１０の長さ方向に沿って延びている。
【００３０】
スリット１５ａｃは、図２に示すように、一方の第２辺部１１ｃの一方の第１辺部１１ａに近い側の所定位置から第１辺部１１ａ，１１ｂに平行に所定の長さ延びる直線状である。スリット１５ａｃは、通気路形成用板材１０の厚さ方向に貫通し、一方の第２辺部１１ｃの位置において他方の第２辺部１１ｄとは反対方向に開口している。言い換えれば、スリット１５ａｃは、その基端部１６ａｃから第１辺部１１ａ，１１ｂに平行に直線状に延びて一方の第２辺部１１ｃに抜けている。
【００３１】
図１に示すように、スリット１５ｂｃは、スリット１５ａｃと同形状であり、一方の第２辺部１１ｃの他方の第１辺部１１ｂに近い側の所定位置から第１辺部１１ａ，１１ｂに平行に所定の長さ延びる直線状である。スリット１５ｂｃは、通気路形成用板材１０の厚さ方向に貫通し、一方の第２辺部１１ｃの位置において他方の第２辺部１１ｄとは反対方向に開口している。言い換えれば、スリット１５ｂｃは、その基端部１６ｂｃから第１辺部１１ａ，１１ｂに平行に直線状に延びて一方の第２辺部１１ｃに抜けている。
【００３２】
スリット１５ａｄは、スリット１５ａｃと同形状であり、他方の第２辺部１１ｄの一方の第１辺部１１ａに近い側の所定位置から第１辺部１１ａ，１１ｂに平行に所定の長さ延びる直線状である。スリット１５ａｄは、通気路形成用板材１０の厚さ方向に貫通し、他方の第２辺部１１ｄの位置において一方の第２辺部１１ｃとは反対方向に開口している。言い換えれば、スリット１５ａｄは、その基端部１６ａｄから第１辺部１１ａ，１１ｂに平行に直線状に延びて一方の第２辺部１１ｄに抜けている。
【００３３】
スリット１５ｂｄは、スリット１５ａｃと同形状であり、他方の第２辺部１１ｄの他方の第１辺部１１ｂに近い側の所定位置から第１辺部１１ａ，１１ｂに平行に所定の長さ延びる直線状である。スリット１５ｂｄは、通気路形成用板材１０の厚さ方向に貫通し、他方の第２辺部１１ｄの位置において一方の第２辺部１１ｃとは反対方向に開口している。言い換えれば、スリット１５ｂｄは、その基端部１６ｂｄから第１辺部１１ａ，１１ｂに平行に直線状に延びて一方の第２辺部１１ｄに抜けている。
【００３４】
一方の第１辺部１１ａに近い側の２カ所のスリット１５ａｃ，１５ａｄは、この第１辺部１１ａから等距離の位置に形成されており、この第１辺部１１ａと平行な同一直線上に配置されている。同様に、他方の第１辺部１１ｂに近い側の２カ所のスリット１５ｂｃ，１５ｂｄは、この第１辺部１１ｂから等距離の位置に形成されており、この第１辺部１１ｂと平行な同一直線上に配置されている。スリット１５ａｃ，１５ｂｃ，１５ａｄ，１５ｂｄは同形状であることから、長さも同等であり、幅も同等となっている。
【００３５】
ここで、通気路形成用板材１０は、第１辺部１１ａ，１１ｂの長さが第２辺部１１ｃ，１１ｄの長さよりも長いため、スリット１５ａｃ，１５ｂｃ，１５ａｄ，１５ｂｄは、いずれも通気路形成用板材１０の長さ方向に沿って延在するように形成されている。
【００３６】
一方の第２辺部１１ｃは、スリット１５ａｃ，１５ｂｃが形成されることにより、スリット１５ａｃ，１５ｂｃ間の中間辺部１７ｃと、スリット１５ａｃよりも中間辺部１７ｃとは反対側の端辺部１８ａｃと、スリット１５ｂｃよりも中間辺部１７ｃとは反対側の端辺部１８ｂｃと、からなっている。中間辺部１７ｃおよび端辺部１８ａｃ，１８ｂｃは、同一直線上に配置されている。
【００３７】
スリット１５ａｃは、端辺部１８ａｃの中間辺部１７ｃ側の端部から第１辺部１１ａ，１１ｂと平行に延出する辺部１９ａｃと、中間辺部１７ｃの端辺部１８ａｃ側の端部から第１辺部１１ａ，１１ｂと平行に延出する辺部２０ａｃとを有している。スリット１５ｂｃは、端辺部１８ｂｃの中間辺部１７ｃ側の端部から第１辺部１１ａ，１１ｂと平行に延出する辺部１９ｂｃと、中間辺部１７ｃの端辺部１８ｂｃ側の端部から第１辺部１１ａ，１１ｂと平行に延出する辺部２０ｂｃとを有している。
【００３８】
他方の第２辺部１１ｄは、スリット１５ａｄ，１５ｂｄが形成されることにより、スリット１５ａｄ，１５ｂｄ間の中間辺部１７ｄと、スリット１５ａｄよりも中間辺部１７ｄとは反対側の端辺部１８ａｄと、スリット１５ｂｄよりも中間辺部１７ｄとは反対側の端辺部１８ｂｄと、からなっている。中間辺部１７ｄおよび端辺部１８ａｄ，１８ｂｄは、同一直線上に配置されている。
【００３９】
スリット１５ａｄは、端辺部１８ａｄの中間辺部１７ｄ側の端部から第１辺部１１ａ，１１ｂと平行に延出する辺部１９ａｄと、中間辺部１７ｄの端辺部１８ａｄ側の端部から第１辺部１１ａ，１１ｂと平行に延出する辺部２０ａｄとを有している。スリット１５ｂｄは、端辺部１８ｂｄの中間辺部１７ｄ側の端部から第１辺部１１ａ，１１ｂと平行に延出する辺部１９ｂｄと、中間辺部１７ｄの端辺部１８ｂｄ側の端部から第１辺部１１ａ，１１ｂと平行に延出する辺部２０ｂｄとを有している。
【００４０】
通気路形成用板材１０は、一方の第１辺部１１ａに近い両側のスリット１５ａｃ，１５ａｄを結んで延在する折り曲げ容易な側部易折曲部２５ａと、他方の第１辺部１１ｂに近い両側のスリット１５ｂｃ，１５ｂｄを結んで延在する折り曲げ容易な側部易折曲部２５ｂと、を有している。
【００４１】
側部易折曲部２５ａは、第１辺部１１ａ，１１ｂに平行な直線状であり、スリット１５ａｃ，１５ａｄと連続しこれらと同一直線上に配置されている。側部易折曲部２５ａは、通気路形成用板材１０に、その厚さ方向一側の面２８ｅ側に谷を形成する谷折りを容易とする。側部易折曲部２５ａは、例えば、図３に示すように、通気路形成用板材１０の厚さ方向一側の面２８ｅから厚さ方向他側の面２８ｆ側に向けて凹む凹溝形状である。
【００４２】
図１に示すように、側部易折曲部２５ｂは、第１辺部１１ａ，１１ｂに平行な直線状であり、スリット１５ｂｃ，１５ｂｄと連続しこれらと同一直線上に配置されている。側部易折曲部２５ｂは、側部易折曲部２５ａと同様、通気路形成用板材１０に、その厚さ方向一側の面２８ｅ側に谷を形成する谷折りを容易とする。側部易折曲部２５ｂは、側部易折曲部２５ａと同形状であり、例えば、通気路形成用板材１０の厚さ方向一側の面２８ｅから厚さ方向他側の面２８ｆ側に向けて凹む凹溝形状である。
【００４３】
通気路形成用板材１０は、スリット１５ａｃ，１５ｂｃ，１５ａｄ，１５ｂｄから、それぞれ、第１辺部１１ａ，１１ｂのうちの近い側の第１辺部に延びる折り曲げ容易な隅側易折曲部３１ａｃ，３１ｂｃ，３１ａｄ，３１ｂｄを有している。
【００４４】
図２に示すように、隅側易折曲部３１ａｃは、スリット１５ａｃの、これが開口する第２辺部１１ｃとは反対側の端部である基端部１６ａｃから、第１辺部１１ａ，１１ｂのうちの、スリット１５ａｃに近い第１辺部１１ａに直線状に延びている。言い換えれば、隅側易折曲部３１ａｃは、第１辺部１１ａから直線状に延びて、スリット１５ａｃの第２辺部１１ｃとは反対側の端部である基端部１６ａｃに交差している。
【００４５】
隅側易折曲部３１ａｃは、スリット１５ａｃ側よりも第１辺部１１ａ側の方が、第２辺部１１ｃから距離が遠くなるようにスリット１５ａｃおよび第１辺部１１ａに対し傾斜している。言い換えれば、隅側易折曲部３１ａｃは、スリット１５ａｃとのなす角が鈍角となるように形成されている。さらに言い換えれば、隅側易折曲部３１ａｃは、スリット１５ａｃから鈍角をなして近い側の第１辺部１１ａまで延びている。隅側易折曲部３１ａｃは、側部易折曲部２５ａに対しては鋭角をなしている。隅側易折曲部３１ａｃは、通気路形成用板材１０に、その厚さ方向一側の面２８ｅ側に山を形成する山折りを容易とする。隅側易折曲部３１ａｃは、例えば、図４に示すように、通気路形成用板材１０の厚さ方向他側の面２８ｆから厚さ方向一側の面２８ｅ側に向けて凹む凹溝形状である。
【００４６】
図１に示すように、隅側易折曲部３１ｂｃは、スリット１５ｂｃの、これが開口する第２辺部１１ｃとは反対側の端部である基端部１６ｂｃから、第１辺部１１ａ，１１ｂのうちの、スリット１５ｂｃに近い第１辺部１１ｂに直線状に延びている。言い換えれば、隅側易折曲部３１ｂｃは、第１辺部１１ｂから直線状に延びて、スリット１５ｂｃの基端部１６ｂｃに交差している。
【００４７】
隅側易折曲部３１ｂｃは、スリット１５ｂｃ側よりも第１辺部１１ｂ側の方が、第２辺部１１ｃから距離が遠くなるようにスリット１５ｂｃおよび第１辺部１１ｂに対し傾斜している。言い換えれば、隅側易折曲部３１ｂｃは、スリット１５ｂｃとのなす角が鈍角となるように形成されている。さらに言い換えれば、隅側易折曲部３１ｂｃは、スリット１５ｂｃから鈍角をなして近い側の第１辺部１１ｂまで延びている。隅側易折曲部３１ｂｃは、側部易折曲部２５ｂに対しては鋭角をなしている。隅側易折曲部３１ｂｃは、隅側易折曲部３１ａｃと同様、通気路形成用板材１０に、その厚さ方向一側の面２８ｅ側に山を形成する山折りを容易とする。隅側易折曲部３１ｂｃは、例えば、通気路形成用板材１０の厚さ方向他側の面２８ｆから厚さ方向一側の面２８ｅ側に向けて凹む凹溝形状である。
【００４８】
隅側易折曲部３１ａｄは、スリット１５ａｄの、これが開口する第２辺部１１ｄとは反対側の端部である基端部１６ａｄから、第１辺部１１ａ，１１ｂのうちの、スリット１５ａｄに近い第１辺部１１ａに直線状に延びている。言い換えれば、隅側易折曲部３１ａｄは、第１辺部１１ａから直線状に延びて、スリット１５ａｄの基端部１６ａｄに交差している。
【００４９】
隅側易折曲部３１ａｄは、スリット１５ａｄ側よりも第１辺部１１ａ側の方が、第２辺部１１ｄから距離が遠くなるようにスリット１５ａｄおよび第１辺部１１ａに対し傾斜している。言い換えれば、隅側易折曲部３１ａｄは、スリット１５ａｄとのなす角が鈍角となるように形成されている。さらに言い換えれば、隅側易折曲部３１ａｄは、スリット１５ａｄから鈍角をなして近い側の第１辺部１１ａまで延びている。隅側易折曲部３１ａｄは、側部易折曲部２５ａに対しては鋭角をなしている。隅側易折曲部３１ａｄは、隅側易折曲部３１ａｃと同様、通気路形成用板材１０に、その厚さ方向一側の面２８ｅ側に山を形成する山折りを容易とする。隅側易折曲部３１ａｄは、例えば、通気路形成用板材１０の厚さ方向他側の面２８ｆから厚さ方向一側の面２８ｅ側に向けて凹む凹溝形状である。
【００５０】
隅側易折曲部３１ｂｄは、スリット１５ｂｄの、これが開口する第２辺部１１ｄとは反対側の端部である基端部１６ｂｄから、第１辺部１１ａ，１１ｂのうちの、スリット１５ｂｄに近い第１辺部１１ｂに直線状に延びている。言い換えれば、隅側易折曲部３１ｂｄは、第１辺部１１ｂから直線状に延びて、スリット１５ｂｄの基端部１６ｂｄに交差している。
【００５１】
隅側易折曲部３１ｂｄは、スリット１５ｂｄ側よりも第１辺部１１ｂ側の方が、第２辺部１１ｄから距離が遠くなるようにスリット１５ｂｄおよび第１辺部１１ｂに対し傾斜している。言い換えれば、隅側易折曲部３１ｂｄは、スリット１５ｂｄとのなす角が鈍角となるように形成されている。さらに言い換えれば、隅側易折曲部３１ｂｄは、スリット１５ｂｄから鈍角をなして近い側の第１辺部１１ｂまで延びている。隅側易折曲部３１ｂｄは、側部易折曲部２５ｂに対しては鋭角をなしている。隅側易折曲部３１ｂｄは、隅側易折曲部３１ａｃと同様、通気路形成用板材１０に、その厚さ方向一側の面２８ｅ側に山を形成する山折りを容易とする。隅側易折曲部３１ｂｄは、例えば、通気路形成用板材１０の厚さ方向他側の面２８ｆから厚さ方向一側の面２８ｅ側に向けて凹む凹溝形状である。
【００５２】
なお、図５に示すように、隅側易折曲部３１ａｃが、スリット１５ａｃの基端部１６ａｃよりも第２辺部１１ｃ側の中間位置に交差していても良い。具体的には、隅側易折曲部３１ａｃが、スリット１５ａｃの第２辺部１１ｃ側の開口部よりも基端部１６ａｃに近い側の中間位置に交差していても良い。言い換えれば、隅側易折曲部３１ａｃは、スリット１５ａｃの長さ方向の基端部１６ａｃ側の中間位置に交差していても良い。
【００５３】
同様に、図１に示す隅側易折曲部３１ｂｃは、スリット１５ｂｃの基端部１６ｂｃよりも所定距離第２辺部１１ｃ側の中間位置に交差していても良い。同様に、隅側易折曲部３１ａｄは、スリット１５ａｄの基端部１６ａｄよりも所定距離第２辺部１１ｄ側の中間位置に交差していても良い。同様に、隅側易折曲部３１ｂｄは、スリット１５ｂｄの基端部１６ｂｄよりも所定距離第２辺部１１ｄ側の中間位置に交差していても良い。
【００５４】
通気路形成用板材１０は、ダンボール紙からなっている。通気路形成用板材１０は、ダンボール紙からなる板材に限らず、樹脂材料からなる板材で形成することも可能である。ダンボール紙を用いる場合、平面状に広がる上板紙と、平面状に広がる下板紙と、これらの間に配置される波板紙とを有し、上板紙および下板紙が接着剤によって波板紙に貼り合わされたダンボール紙を用いることができる。あるいは、通気路形成用板材１０を、ダンボール紙からなる板材または樹脂材料からなる板材を芯材とし、芯材に、アルミニウム蒸着フィルムおよび不織布の少なくともいずれか一方が貼り合わされた複合板材で形成することも可能である。
【００５５】
通気路形成用板材１０は、一例として、その長さ（すなわち第１辺部１１ａ，１１ｂの長さ）が９００ｍｍに、その幅（すなわち第２辺部１１ｃ，１１ｄの長さ）が４６４ｍｍに、スリット１５ａｃ，１５ｂｃ，１５ａｄ，１５ｂｄのそれぞれの長さが３０ｍｍに、スリット１５ａｃ，１５ａｄとこれらに近い側の一方の第１辺部１１ａとの距離が３０ｍｍに、スリット１５ｂｃ，１５ｂｄとこれらに近い側の他方の第１辺部１１ｂとの距離が３０ｍｍに、隅側易折曲部３１ａｃとスリット１５ａｃとのなす角、隅側易折曲部３１ｂｃとスリット１５ｂｃとのなす角、隅側易折曲部３１ａｄとスリット１５ａｄとのなす角、及び、隅側易折曲部３１ｂｄとスリット１５ｂｄとのなす角が、それぞれ１３５度に、形成されている。
【００５６】
通気路形成用板材１０は、工場で製造され、工場で製造された平板状をなす状態のまま出荷されて施工現場に搬送される。そして、通気路形成用板材１０は、施工現場において、側部易折曲部２５ａ，２５ｂが、面２８ｅ側に谷を形成するように谷折りされることになり、隅側易折曲部３１ａｃ，３１ｂｃ，３１ａｄ，３１ｂｄが、面２８ｅ側に山を形成するように山折りされて、図６に示すように通気路形成用スペーサ１００となる。
【００５７】
通気路形成用スペーサ１００は、図１に示す側部易折曲部２５ａ，２５ｂの間が、図６に示す平面状の本体部１０１となる。本体部１０１は、図１に示す一方の側部易折曲部２５ａおよびこれと同一直線上に配置されるスリット１５ａｃ，１５ａｄの辺部２０ａｃ，２０ａｄが、図６に示す一方の第１端縁部１０２ａとなる。また、本体部１０１は、図１に示す他方の側部易折曲部２５ｂおよびこれと同一直線上に配置されるスリット１５ｂｃ，１５ｂｄの辺部２０ｂｃ，２０ｂｄが、図６に示す他方の第１端縁部１０２ｂとなる。
【００５８】
また、本体部１０１は、図１に示す一方の第２辺部１１ｃのスリット１５ａｃ，１５ｂｃ間の中間辺部１７ｃが、図６に示す一方の第２端縁部１７ｃとなる。また、本体部１０１は、図１に示す他方の第２辺部１１ｄのスリット１５ａｄ，１５ｂｄ間の中間辺部１７ｄが、図６に示す他方の第２端縁部１７ｄとなる。本体部１０１は、同方向に延在する一対の同長さの第１端縁部１０２ａ，１０２ｂと、一対の第１端縁部１０２ａ，１０２ｂに交差する一対の同長さの第２端縁部１７ｃ，１７ｄとを有する。一対の第２端縁部１７ｃ，１７ｄは、一対の第１端縁部１０２ａ，１０２ｂに直交している。
【００５９】
通気路形成用スペーサ１００は、図１に示す側部易折曲部２５ａと第１辺部１１ａとの間の部分であって隅側易折曲部３１ａｃ，３１ａｄ間の部分が、図６に示す本体部１０１から立ち上がる起立部１１１ａとなる。また、通気路形成用スペーサ１００は、図１に示す側部易折曲部２５ｂと第１辺部１１ｂとの間の部分であって隅側易折曲部３１ｂｃ，３１ｂｄ間の部分が、図６に示す本体部１０１から立ち上がる起立部１１１ｂとなる。一方の起立部１１１ａは本体部１０１の一方の第１端縁部１０２ａから立ち上がり、他方の起立部１１１ｂは本体部１０１の他方の第１端縁部１０２ｂから立ち上がる。一方の起立部１１１ａは、第１端縁部１０２ａのうちの側部易折曲部２５ａが本体部１０１との境界の基端縁部２５ａとなり、他方の起立部１１１ｂは、第１端縁部１０２ｂのうちの側部易折曲部２５ｂが本体部１０１との境界の基端縁部２５ｂとなる。
【００６０】
よって、通気路形成用スペーサ１００は、本体部１０１の一対の第１端縁部１０２ａ，１０２ｂから立ち上がる一対の起立部１１１ａ，１１１ｂを有している。起立部１１１ａ，１１１ｂは、本体部１０１に対しほぼ垂直に立ち上がる。なお、本体部１０１の範囲内には、起立部１１１ａ，１１１ｂとの境界部分を含めて、切欠きや穴、スリット等、本体部１０１を板厚方向に貫通する部分は形成されていない。
【００６１】
通気路形成用スペーサ１００は、図１に示す隅側易折曲部３１ａｃと端辺部１８ａｃとの間の部分が、図６に示すように起立部１１１ａの厚さ方向において本体部１０１とは反対側に折り曲げられて本体部１０１よりも本体部１０１の厚さ方向において起立部１１１ａとは反対方向に突出する折曲突出部１２１ａｃとなる。隅側易折曲部３１ａｃは、起立部１１１ａと折曲突出部１２１ａｃとの間の折り線３１ａｃとなる。折曲突出部１２１ａｃは、本体部１０１の厚さ方向において本体部１０１よりも起立部１１１ａとは反対方向に突出する部分が先端突出部１２２ａｃとなっている。この先端突出部１２２ａｃの突出方向先端は端辺部１８ａｃである。折曲突出部１２１ａｃは、起立部１１１ａにおける第２端縁部１７ｃに近い側に設けられている。折曲突出部１２１ａｃは、折り曲げ前は起立部１１１ａから第１端縁部１０２ａに沿って延出しており、第１端縁部１０２ａに対し傾斜する直線状の折り線３１ａｃで折り曲げられることで本体部１０１よりも起立部１１１ａとは反対方向に突出する。この折り線３１ａｃは、起立部１１１ａの基端縁部２５ａとのなす角が鋭角、具体的には４５度となっている。
【００６２】
また、通気路形成用スペーサ１００は、図１に示す隅側易折曲部３１ａｄと端辺部１８ａｄとの間の部分が、図６に示すように起立部１１１ａの厚さ方向において本体部１０１とは反対側に折り曲げられて本体部１０１よりも本体部１０１の厚さ方向において起立部１１１ａとは反対方向に突出する折曲突出部１２１ａｄとなる。隅側易折曲部３１ａｄは、起立部１１１ａと折曲突出部１２１ａｄとの間の折り線３１ａｄとなる。折曲突出部１２１ａｄは、本体部１０１の厚さ方向において本体部１０１よりも起立部１１１ａとは反対方向に突出する部分が先端突出部１２２ａｄとなっている。この先端突出部１２２ａｄの突出方向先端は端辺部１８ａｄである。折曲突出部１２１ａｄは、起立部１１１ａにおける第２端縁部１７ｄに近い側に設けられている。折曲突出部１２１ａｄは、折り曲げ前は起立部１１１ａから第１端縁部１０２ａに沿って延出しており、第１端縁部１０２ａに対し傾斜する直線状の折り線３１ａｄで折り曲げられることで本体部１０１よりも起立部１１１ａとは反対方向に突出する。この折り線３１ａｄは、起立部１１１ａの基端縁部２５ａとのなす角が鋭角、具体的には４５度となっている。
【００６３】
また、通気路形成用スペーサ１００は、図１に示す隅側易折曲部３１ｂｃと端辺部１８ｂｃとの間の部分が、図６に示すように起立部１１１ｂの厚さ方向において本体部１０１とは反対側に折り曲げられて本体部１０１よりも本体部１０１の厚さ方向において起立部１１１ｂとは反対方向に突出する折曲突出部１２１ｂｃとなる。隅側易折曲部３１ｂｃは、起立部１１１ｂと折曲突出部１２１ｂｃとの間の折り線３１ｂｃとなる。折曲突出部１２１ｂｃは、本体部１０１の厚さ方向において本体部１０１よりも起立部１１１ｂとは反対方向に突出する部分が先端突出部１２２ｂｃとなっている。この先端突出部１２２ｂｃの突出方向先端は端辺部１８ｂｃである。折曲突出部１２１ｂｃは、起立部１１１ｂにおける第２端縁部１７ｃに近い側に設けられている。折曲突出部１２１ｂｃは、折り曲げ前は起立部１１１ｂから第１端縁部１０２ｂに沿って延出しており、第１端縁部１０２ｂに対し傾斜する直線状の折り線３１ｂｃで折り曲げられることで本体部１０１よりも起立部１１１ｂとは反対方向に突出する。この折り線３１ｂｃは、起立部１１１ｂの基端縁部２５ｂとのなす角が鋭角、具体的には４５度となっている。
【００６４】
また、通気路形成用スペーサ１００は、図１に示す隅側易折曲部３１ｂｄと端辺部１８ｂｄとの間の部分が、図６に示すように起立部１１１ｂの厚さ方向において本体部１０１とは反対側に折り曲げられて本体部１０１よりも本体部１０１の厚さ方向において起立部１１１ｂとは反対方向に突出する折曲突出部１２１ｂｄとなる。隅側易折曲部３１ｂｄは、起立部１１１ｂと折曲突出部１２１ｂｄとの間の折り線３１ｂｄとなる。折曲突出部１２１ｂｄは、本体部１０１の厚さ方向において本体部１０１よりも起立部１１１ｂとは反対方向に突出する部分が先端突出部１２２ｂｄとなっている。この先端突出部１２２ｂｄの突出方向先端は端辺部１８ｂｄである。折曲突出部１２１ｂｄは、起立部１１１ｂにおける第２端縁部１７ｄに近い側に設けられている。折曲突出部１２１ｂｄは、折り曲げ前は起立部１１１ｂから第１端縁部１０２ｂに沿って延出しており、第１端縁部１０２ｂに対し傾斜する直線状の折り線３１ｂｄで折り曲げられることで本体部１０１よりも起立部１１１ｂとは反対方向に突出する。この折り線３１ｂｄは、起立部１１１ｂの基端縁部２５ｂとのなす角が鋭角、具体的には４５度となっている。
【００６５】
図１に示すスリット１５ａｃを形成していた辺部１９ａｃが、図６に示すように先端突出部１２２ａｃの先端突出部１２２ａｄとは反対側の端縁部１９ａｃとなり、図１に示すスリット１５ａｄを形成していた辺部１９ａｄが、図６に示すように先端突出部１２２ａｄの先端突出部１２２ａｃとは反対側の端縁部１９ａｄとなり、図１に示すスリット１５ｂｃを形成していた辺部１９ｂｃが、図６に示すように先端突出部１２２ｂｃの先端突出部１２２ｂｄとは反対側の端縁部１９ｂｃとなり、図１に示すスリット１５ｂｄを形成していた辺部１９ｂｄが、図６に示すように先端突出部１２２ｂｄの先端突出部１２２ｂｃとは反対側の端縁部１９ｂｄとなる。
【００６６】
よって、通気路形成用スペーサ１００は、第１端縁部１０２ａ，１０２ｂの延在方向における一対の起立部１１１ａ，１１１ｂの両端部から、本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄを有する。
【００６７】
通気路形成用スペーサ１００は、折曲突出部１２１ａｃ，１２１ｂｃが形成されることで、本体部１０１に、折曲突出部１２１ａｃ，１２１ｂｃよりも第１端縁部１０２ａ，１０２ｂの延在方向外側に突出する本体突出部１２５ｃが形成されることになり、折曲突出部１２１ａｄ，１２１ｂｄが形成されることで、本体部１０１に、折曲突出部１２１ａｄ，１２１ｂｄよりも第１端縁部１０２ａ，１０２ｂの延在方向外側に突出する本体突出部１２５ｄが形成されることになる。本体突出部１２５ｃは突出方向先端が第２端縁部１７ｃとなっており、本体突出部１２５ｄは突出方向先端が第２端縁部１７ｄとなっている。本体部１０１は、これら本体突出部１２５ｃ，１２５ｄと、これらの間の主体部１２６とを有している。主体部１２６は、第１端縁部１０２ａ，１０２ｂの延在方向において、折曲突出部１２１ａｃ，１２１ｂｃ，１２１ａｄ，１２１ｂｄを含む、これらの内側範囲に設けられている。本体突出部１２５ｃ，１２５ｄは主体部１２６から反対方向に突出している。
【００６８】
図１に示す隅側易折曲部３１ａｃとスリット１５ａｃとのなす角が１３５度に形成されているため、図６に示すように、先端突出部１２２ａｃは、本体部１０１からほぼ垂直に突出し、その突出方向先端の端辺部１８ａｃが本体部１０１とほぼ平行をなす。同様に、図１に示す隅側易折曲部３１ｂｃとスリット１５ｂｃとのなす角、隅側易折曲部３１ａｄとスリット１５ａｄとのなす角、及び、隅側易折曲部３１ｂｄとスリット１５ｂｄとのなす角が、それぞれ１３５度に形成されているため、図６に示すように、先端突出部１２２ｂｃは、本体部１０１からほぼ垂直に突出して端辺部１８ｂｃが本体部１０１とほぼ平行をなし、先端突出部１２２ａｄは、本体部１０１からほぼ垂直に突出して端辺部１８ａｄが本体部１０１とほぼ平行をなし、先端突出部１２２ｂｄは、本体部１０１からほぼ垂直に突出して端辺部１８ｂｄが本体部１０１とほぼ平行をなす。
【００６９】
なお、図１に示すスリット１５ａｃ，１５ｂｃ，１５ａｄ，１５ｂｄが同方向に沿うように形成された状態において、隅側易折曲部３１ａｃとスリット１５ａｃとのなす角、隅側易折曲部３１ｂｃとスリット１５ｂｃとのなす角、隅側易折曲部３１ａｄとスリット１５ａｄとのなす角、及び、隅側易折曲部３１ｂｄとスリット１５ｂｄとのなす角は、鈍角であれば、１３５度に限らない。これらのなす角を、それぞれ１３５度よりも大きい例えば１５０度としたり、１３５度よりも小さい例えば１２０度としたりしても、図６に示す先端突出部１２２ａｃ，１２２ｂｃ，１２２ａｄ，１２２ｂｄは、本体部１０１から起立部１１１ａ，１１１ｂとは反対側に突出することになる。
【００７０】
通気路形成用スペーサ１００は、図７に示す屋根２０１の平板状の野地板２０２を支持する平行な垂木２０３ａ，２０３ｂ間に取り付けられる。垂木２０３ａ，２０３ｂは、いずれも同サイズの角材であり、垂木２０３ａの垂木２０３ｂ側の側面２１１ａと、垂木２０３ｂの垂木２０３ａ側の側面２１１ｂとが互いに平行をなして対向する。垂木２０３ａの野地板２０２とは反対側に向く下面２１２ａと、垂木２０３ｂの野地板２０２とは反対側に向く下面２１２ｂとは、野地板２０２と平行な同一平面に配置される。
【００７１】
作業者は、通気路形成用スペーサ１００を施工する場合、通気路形成用スペーサ１００を垂木２０３ａ，２０３ｂ間に配置する。例えば、垂木２０３ａ，２０３ｂ間に野地板２０２とは反対側、言い換えれば室内側から通気路形成用スペーサ１００を施工する場合、作業者は、通気路形成用スペーサ１００を、垂木２０３ａ，２０３ｂ間に野地板２０２とは反対側、言い換えれば室内側から挿入することになる。その際に、作業者は、折曲突出部１２１ａｃ，１２１ｂｃ，１２１ａｄ，１２１ｂｄの先端突出部１２２ａｃ，１２２ｂｃ，１２２ａｄ，１２２ｂｄが本体部１０１から野地板２０２とは反対側、すなわち室内側に突出する向きで、起立部１１１ａ，１１１ｂが野地板２０２に当接するまで挿入する。すると、通気路形成用スペーサ１００は、本体部１０１が野地板２０２と平行をなし、一方の起立部１１１ａが垂木２０３ａの側面２１１ａに、図６に示す他方の起立部１１１ｂが図７に示す垂木２０３ｂの側面２１１ｂに当接する。また、折曲突出部１２１ａｃ，１２１ｂｃ，１２１ａｄ，１２１ｂｄの先端突出部１２２ａｃ，１２２ｂｃ，１２２ａｄ，１２２ｂｄが本体部１０１よりも垂木２０３ａ，２０３ｂの下面２１２ａ，２１２ｂ側に突出して、折曲突出部１２１ａｃ，１２１ａｄが垂木２０３ａの側面２１１ａに、折曲突出部１２１ｂｃ，１２１ｂｄが垂木２０３ｂの側面２１１ｂに、それぞれ当接する。
【００７２】
ここで、通気路形成用スペーサ１００が、野地板２０２および垂木２０３ａ，２０３ｂに対し、このような関係になるように、図１に示す通気路形成用板材１０は形成されている。すなわち、通気路形成用板材１０は、スリット１５ａｃ，１５ａｄと、スリット１５ｂｃ，１５ｂｄとの間隔が、図７に示す垂木２０３ａ，２０３ｂの側面２１１ａ，２１１ｂ間の間隔とほぼ同等となるように形成されている。また、図１に示す通気路形成用板材１０は、スリット１５ａｃ，１５ａｄおよび第１辺部１１ａの距離と、スリット１５ｂｃ，１５ｂｄおよび第１辺部１１ｂの距離とが、図７に示す野地板２０２と垂木２０３ａ，２０３ｂの下面２１２ａ，２１２ｂとの距離、すなわち垂木２０３ａ，２０３ｂの側面２１１ａ，２１１ｂの高さよりも短く形成されている。
【００７３】
そして、作業者は、上記のように配置された通気路形成用スペーサ１００の先端突出部１２２ａｃに垂木２０３ａとは反対側からタッカーで、図８に示すように針２２１を打って先端突出部１２２ａｃを垂木２０３ａの側面２１１ａに押し当てて固定する。同様にして、図７に示す先端突出部１２２ａｄに垂木２０３ａとは反対側からタッカーで針２２１を打って先端突出部１２２ａｄを垂木２０３ａの側面２１１ａに押し当てて固定する。同様に、先端突出部１２２ｂｃに垂木２０３ｂとは反対側からタッカーで針２２１を打って先端突出部１２２ｂｃを垂木２０３ｂの側面２１１ｂに押し当てて固定し、先端突出部１２２ｂｄに垂木２０３ｂとは反対側からタッカーで針２２１を打って先端突出部１２２ｂｄを垂木２０３ｂの側面２１１ｂに押し当てて固定する。
【００７４】
これにより、屋根２０１は、通気路形成用スペーサ１００が、一対の起立部１１１ａ，１１１ｂを一対の垂木２０３ａ，２０３ｂに沿って配置し、折曲突出部１２１ａｃ，１２１ａｄ，１２１ｂｃ，１２１ｂｄを本体部１０１よりも室内側に突出させて、折曲突出部１２１ａｃ，１２１ａｄの先端突出部１２２ａｃ，１２２ａｄにおいて垂木２０３ａに、折曲突出部１２１ｂｃ，１２１ｂｄの先端突出部１２２ｂｃ，１２２ｂｄにおいて垂木２０３ｂに、それぞれ取り付けられた屋根裏構造になる。
【００７５】
ここで、垂木２０３ａ，２０３ｂの長さは、通気路形成用スペーサ１００よりも長いため、垂木２０３ａ，２０３ｂの延在方向に沿って通気路形成用スペーサ１００が複数連設されることになる。
【００７６】
例えば、上記のようにして垂木２０３ａ，２０３ｂに取り付けられた既設の通気路形成用スペーサ１００の第２端縁部１７ｃ側に、図９に示すように、次設の通気路形成用スペーサ１００を配置する場合、作業者は、次設の通気路形成用スペーサ１００を、上記と同様に、折曲突出部１２１ａｃ，１２１ｂｃ，１２１ａｄ，１２１ｂｄの先端突出部１２２ａｃ，１２２ｂｃ，１２２ａｄ，１２２ｂｄが本体部１０１から野地板２０２とは反対側に突出する向きで、垂木２０３ａ，２０３ｂ間に野地板２０２とは反対側から起立部１１１ａ，１１１ｂが野地板２０２に当接するまで挿入する。
【００７７】
その際に、図９に示すように、垂木２０３ａの延在方向において、既設の通気路形成用スペーサ１００の本体部１０１の主体部１２６に、次設の通気路形成用スペーサ１００の本体突出部１２５ｄを、既設の通気路形成用スペーサ１００の本体突出部１２５ｃに、次設の通気路形成用スペーサ１００の主体部１２６を、それぞれ重ね合わせる。また、既設の通気路形成用スペーサ１００の先端突出部１２２ａｃの本体突出部１２５ｃ側の端縁部１９ａｃに、次設の通気路形成用スペーサ１００の先端突出部１２２ａｄの本体突出部１２５ｄ側の端縁部１９ａｄを突き当てる。それとともに、既設の通気路形成用スペーサ１００の先端突出部１２２ｂｃの本体突出部１２５ｃ側の端縁部１９ｂｃに、次設の通気路形成用スペーサ１００の先端突出部１２２ｂｄの本体突出部１２５ｄ側の端縁部１９ｂｄを突き当てる。なお、このとき、端縁部１９ａｃと端縁部１９ａｄとを突き当てなくても良く、同様に、端縁部１９ｂｃと端縁部１９ｂｄとを突き当てなくても良い。
【００７８】
そして、図９に示すように、次設の通気路形成用スペーサ１００の先端突出部１２２ａｄに垂木２０３ａとは反対側からタッカーで針２２１を打って先端突出部１２２ａｄを垂木２０３ａの側面２１１ａに固定する。それとともに、先端突出部１２２ｂｄに、垂木２０３ｂとは反対側からタッカーで針２２１を打って先端突出部１２２ｂｄを垂木２０３ｂの側面２１１ｂに固定し、先端突出部１２２ａｃに垂木２０３ａとは反対側からタッカーで針２２１を打って先端突出部１２２ａｃを垂木２０３ａの側面２１１ａに固定し、先端突出部１２２ｂｃに垂木２０３ｂとは反対側からタッカーで針２２１を打って先端突出部１２２ｂｃを垂木２０３ｂの側面２１１ｂに固定する。
【００７９】
以上を繰り返すことにより、垂木２０３ａ，２０３ｂ間に適宜の数の通気路形成用スペーサ１００を垂木２０３ａ，２０３ｂの延在方向に直列に連設し、野地板２０２の垂木２０３ａ，２０３ｂ間の部分を、このように連設された複数の通気路形成用スペーサ１００で覆うことになる。その結果、垂木２０３ａ，２０３ｂと、これらの間の野地板２０２と、複数の直列に連設された通気路形成用スペーサ１００との間に通気路２３１が形成されることになる。通気路２３１は、垂木２０３ａ，２０３ｂに沿って延在して家屋の軒から棟に向けて通気を行う。よって、通気路形成用スペーサ１００は、同方向に延在する一対の垂木２０３ａ，２０３ｂ間に設けられて屋根裏側に通気路２３１を形成することになる。通気路形成用板材１０は、折り曲げられて、同方向に延在する一対の垂木２０３ａ，２０３ｂ間に設けられて屋根裏側に通気路２３１を形成する通気路形成用スペーサ１００となる。
【００８０】
なお、屋根側からの輻射熱を反射させるためには、芯材にアルミニウム蒸着フィルムを貼り合わせることで、通気路形成用板材１０の面２８ｅをアルミニウム蒸着フィルムで構成し、通気路形成用スペーサ１００の本体部１０１の板厚方向における起立部１１１ａ，１１１ｂ側および起立部１１１ａ，１１１ｂの板厚方向における本体部１０１側、すなわち通気路形成用スペーサ１００の室外側（屋根側）をアルミニウム蒸着フィルムで構成するのが良い。この場合、通気路形成用板材１０の成形上、通気路形成用板材１０の面２８ｅの全面をアルミニウム蒸着フィルムで構成するのが好ましい。
【００８１】
また、通気路形成用スペーサ１００の補強および防水のため芯材に不織布を貼り合わせる場合、通気路形成用板材１０の面２８ｆを不織布で構成し、通気路形成用スペーサ１００の本体部１０１の板厚方向における起立部１１１ａ，１１１ｂとは反対側および起立部１１１ａ，１１１ｂの板厚方向における本体部１０１とは反対側、すなわち通気路形成用スペーサ１００の室内側を不織布で構成するのが良い。この場合も、通気路形成用板材１０の成形上、通気路形成用板材１０の面２８ｆの全面を不織布で構成するのが好ましい。
【００８２】
以上により、屋根２０１は、複数の通気路形成用スペーサ１００が、それぞれ、一対の起立部１１１ａ，１１１ｂを一対の垂木２０３ａ，２０３ｂに沿って配置し、折曲突出部１２１ａｃ，１２１ａｄ，１２１ｂｃ，１２１ｂｄを本体部１０１よりも室内側に突出させて、折曲突出部１２１ａｃ，１２１ａｄの先端突出部１２２ａｃ，１２２ａｄにおいて垂木２０３ａに取り付けられ、折曲突出部１２１ｂｃ，１２１ｂｄの先端突出部１２２ｂｃ，１２２ｂｄにおいて垂木２０３ｂに取り付けられることになる。その際に、複数の通気路形成用スペーサ１００は、隣り合うもの同士が、本体部１０１，１０１同士を重ね合わせて垂木２０３ａ，２０３ｂの延在方向に連設された構造になる。
【００８３】
そして、屋根２０１の必要なすべての部分に、上記のようにして通気路形成用スペーサ１００を設置して通気路２３１を形成する。その後、作業者は、必要なすべての通気路形成用スペーサ１００の主に本体部１０１と垂木２０３ａ，２０３ｂとに、図１０に示すように室内側からウレタン等の発泡性の断熱材２４１を吹き付け固化させる。ここで、このようにウレタンを吹き付けることから、通気路形成用スペーサ１００は、ダンボール紙で形成されるのが好ましい。
【００８４】
これにより、屋根２０１が通気路形成用スペーサ１００の主に本体部１０１および先端突出部１２２ａｃ，１２２ｂｃ，１２２ａｄ，１２２ｂｄと垂木２０３ａ，２０３ｂの下面２１２ａ，２１２ｂおよび側面２１１ａ，２１１ｂとに室内側から断熱材２４１が吹き付けられた構造となる。
【００８５】
以上に述べたように、本実施形態の通気路形成用スペーサ１００は、本体部１０１の一対の第１端縁部１０２ａ，１０２ｂから立ち上がる一対の起立部１１１ａ，１１１ｂの、第１端縁部１０２ａ，１０２ｂの延在方向における両端部から、本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄを有する。作業者は、一対の起立部１１１ａ，１１１ｂを一対の垂木２０３ａ，２０３ｂに沿って配置し、折曲突出部１２１ａｃ，１２１ａｄ，１２１ｂｃ，１２１ｂｄを本体部１０１よりも室内側に突出させた状態で、折曲突出部１２１ａｃ，１２１ａｄ，１２１ｂｃ，１２１ｂｄにおいて通気路形成用スペーサ１００を垂木２０３ａ，２０３ｂに取り付けることになる。その際に、通気路形成用スペーサ１００は、垂木２０３ａ，２０３ｂの延在方向において、折曲突出部１２１ａｃ，１２１ａｄ，１２１ｂｃ，１２１ｂｄが通気路形成用スペーサ１００の端部近傍に配置されることになる。
【００８６】
よって、通気路形成用スペーサ１００を垂木２０３ａ，２０３ｂの延在方向に複数連設する際に、既設のものの折曲突出部１２１ａｃ，１２１ｂｃあるいは折曲突出部１２１ａｄ，１２１ｂｄの近傍に次設のものの折曲突出部１２１ａｄ，１２１ｂｄあるいは折曲突出部１２１ａｃ，１２１ｂｃが位置することになり、既設のものに対する位置を合わせての次設のものの垂木２０３ａ，２０３ｂへの取り付けが容易となる。よって、通気路形成用スペーサ１００を垂木２０３ａ，２０３ｂの延在方向に複数連設して垂木２０３ａ，２０３ｂに取り付ける際の施工性を向上させることが可能となる。
【００８７】
また、本体部１０１から立ち上がる一対の起立部１１１ａ，１１１ｂの両端部から本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄを有するため、一枚の通気路形成用板材１０を折り曲げて容易に通気路形成用スペーサ１００を製造することができる。
【００８８】
また、本体部１０１から立ち上がる一対の起立部１１１ａ，１１１ｂの両端部から本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄを有するため、垂木２０３ａ，２０３ｂに取り付けられる折曲突出部１２１ａｃ，１２１ａｄ，１２１ｂｃ，１２１ｂｄを形成しても、本体部１０１の範囲内に起立部１１１ａ，１１１ｂとの境界部分を含めて、切欠きや穴、スリット等、本体部１０１を板厚方向に貫通する部分を形成する必要がない。通気路形成用スペーサ１００に、このような貫通部分が形成されていないため、室内側から断熱材２４１を吹き付けても断熱材２４１が通気路２３１側に入り込むことを抑制することができる。
【００８９】
また、折曲突出部１２１ａｃ，１２１ａｄは、折り曲げ前は起立部１１１ａの両端部から第１端縁部１０２ａに沿って延出しており、起立部１１１ａの基端縁部２５ａに対し鋭角をなす折り線３１ａｃ，３１ａｄで折り曲げられることになり、折曲突出部１２１ｂｃ，１２１ｂｄは、折り曲げ前は起立部１１１ｂの両端部から第１端縁部１０２ｂに沿って延出しており、起立部１１１ｂの基端縁部２５ｂに対し鋭角をなす折り線３１ｂｃ，３１ｂｄで折り曲げられることになる。このため、本体部１０１よりも起立部１１１ａ，１１１ｂとは反対方向に突出する折曲突出部１２１ａｃ，１２１ａｄ，１２１ｂｃ，１２１ｂｄを容易に形成することができる。
【００９０】
また、本体部１０１が折曲突出部１２１ａｃ，１２１ａｄ，１２１ｂｃ，１２１ｂｄよりも第１端縁部１０２ａ，１０２ｂの延在方向外側に突出する本体突出部１２５ｃ，１２５ｄを有することで、垂木２０３ａ，２０３ｂの延在方向に通気路形成用スペーサ１００を複数連設する際に、隣り合うもの同士の本体部１０１，１０１を重ね合わせることができる。よって、通気路２３１の室内側への連通を抑制することができる。
【００９１】
また、通気路形成用スペーサ１００は、複数が連設される際に、このように、一方の通気路形成用スペーサ１００の本体部１０１と他方の通気路形成用スペーサ１００の本体部１０１とを重ね合わせるため、本体部１０１の範囲のうち、起立部１１１ａ，１１１ｂとの境界部分を含む主体部１２６の範囲内に、切欠きや穴、スリット等、本体部１０１を板厚方向に貫通する部分が形成されていないことと合わせて、室内側から断熱材２４１を吹き付けても断熱材２４１が通気路２３１側に入り込むことを抑制することができる。
【００９２】
このような通気路形成用スペーサ１００を用いた屋根裏構造は、通気路形成用スペーサ１００が、一対の起立部１１１ａ，１１１ｂを一対の垂木２０３ａ，２０３ｂに沿って配置し、折曲突出部１２１ａｃ，１２１ａｄ，１２１ｂｃ，１２１ｂｄを本体部１０１よりも室内側に突出させて、折曲突出部１２１ａｃ，１２１ａｄ，１２１ｂｃ，１２１ｂｄにおいて垂木２０３ａ，２０３ｂに取り付けられている。よって、通気路形成用スペーサ１００を垂木２０３ａ，２０３ｂの延在方向に複数連設して垂木２０３ａ，２０３ｂに取り付ける際の施工性を向上させることが可能となる。
【００９３】
また、通気路形成用スペーサ１００を用いた屋根裏構造は、通気路形成用スペーサ１００が、一対の起立部１１１ａ，１１１ｂを一対の垂木２０３ａ，２０３ｂに沿って配置し、折曲突出部１２１ａｃ，１２１ａｄ，１２１ｂｃ，１２１ｂｄを本体部１０１よりも室内側に突出させて、折曲突出部１２１ａｃ，１２１ａｄ，１２１ｂｃ，１２１ｂｄにおいて垂木２０３ａ，２０３ｂに取り付けられ、しかも、本体部１０１，１０１同士を重ね合わせて垂木２０３ａ，２０３ｂの延在方向に複数連設されているため、通気路２３１の室内側への連通を抑制することができる。
【００９４】
また、本体部１０１の室内側に断熱材２４１が吹き付けられることになるが、通気路形成用スペーサ１００が、本体部１０１から立ち上がる一対の起立部１１１ａ，１１１ｂの両端部から本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄを有するため、垂木２０３ａ，２０３ｂに取り付けられる折曲突出部１２１ａｃ，１２１ａｄ，１２１ｂｃ，１２１ｂｄを形成しても、本体部１０１の範囲内に起立部１１１ａ，１１１ｂとの境界部分を含んで、切欠きや穴、スリット等、本体部１０１を板厚方向に貫通する部分を形成する必要がなく、室内側から断熱材２４１を吹き付けても断熱材２４１が通気路２３１側に入り込むことを抑制することができる。
【００９５】
通気路形成用板材１０は、一方の第１辺部１１ａに近い両側のスリット１５ａｃ，１５ａｄを結んで延在する折り曲げ容易な一側の側部易折曲部２５ａと、他方の第１辺部１１ｂに近い両側のスリット１５ｂｃ，１５ｂｄを結んで延在する折り曲げ容易な他側の側部易折曲部２５ｂと、各スリット１５ａｃ，１５ｂｃ，１５ａｄ，１５ｂｄから、第１辺部１１ａ，１１ｂのうちのそれぞれ近い側に延びる折り曲げ容易な隅側易折曲部３１ａｃ，３１ｂｃ，３１ａｄ，３１ｂｄとを有する。このため、一方の第１辺部１１ａに近い折り曲げ容易な一側の側部易折曲部２５ａを谷折りし、他方の第１辺部１１ｂに近い折り曲げ容易な他側の側部易折曲部２５ｂを谷折りし、各スリット１５ａｃ，１５ｂｃ，１５ａｄ，１５ｂｄから鈍角をなしてそれぞれ第１辺部１１ａ，１１ｂのうち近い側の第１辺部に延びる折り曲げ容易な隅側易折曲部３１ａｃ，３１ｂｃ，３１ａｄ，３１ｂｄを山折りすると、本体部１０１から立ち上がる一対の起立部１１１ａ，１１１ｂの両端部から本体部１０１とは反対側に折り曲げられて本体部１０１よりも起立部１１１ａ，１１１ｂとは反対方向に突出する折曲突出部１２１ａｃ，１２１ａｄ，１２１ｂｃ，１２１ｂｄを有する通気路形成用スペーサ１００となる。よって、容易に通気路形成用スペーサ１００を形成することができる。
【００９６】
また、通気路形成用板材１０は、一側の側部易折曲部２５ａおよび他側の側部易折曲部２５ｂは谷折り容易であり、各隅側折曲部は山折り容易３１ａｃ，３１ｂｃ，３１ａｄ，３１ｂｄであるため、側部易折曲部２５ａ，２５ｂの谷折りが容易となり、各隅側易折曲部３１ａｃ，３１ｂｃ，３１ａｄ，３１ｂｄの山折りが容易となる。よって、さらに容易に通気路形成用スペーサ１００を形成することができる。
【００９７】
以上の実施形態においては、既設の通気路形成用スペーサ１００の本体部１０１の主体部１２６に、次設の通気路形成用スペーサ１００の例えば本体突出部１２５ｄを、既設の通気路形成用スペーサ１００の例えば本体突出部１２５ｃに、次設の通気路形成用スペーサ１００の主体部１２６を、それぞれ重ね合わせる場合を例にとり説明した。しかし、これに限らない。既設の通気路形成用スペーサ１００の例えば本体突出部１２５ｃに、次設の通気路形成用スペーサ１００の例えば本体突出部１２５ｄを重ね合わせても良い。また、既設の通気路形成用スペーサ１００の本体部１０１と次設の通気路形成用スペーサ１００の本体部１０１とを重ね合わせなくても良い。
【００９８】
また、以上の実施形態においては、通気路形成用スペーサ１００の先端突出部１２２ａｃ，１２２ａｄをそれぞれ垂木２０３ａに針２２１で固定するととともに、先端突出部１２２ｂｃ，１２２ｂｄをそれぞれ垂木２０３ｂに針２２１で固定する場合を例にとり説明した。しかし、これに限らない。先設の通気路形成用スペーサ１００の次設の通気路形成用スペーサ１００とは反対側の例えば先端突出部１２２ａｄ，１２２ｂｄを垂木２０３ａ，２０３ｂに針２２１で固定する一方で先設の通気路形成用スペーサ１００の次設の通気路形成用スペーサ１００側の例えば先端突出部１２２ａｃ，１２２ｂｃを垂木２０３ａ，２０３ｂに針２２１で固定せず、先設の通気路形成用スペーサ１００の本体部１０１の下側に次設の通気路形成用スペーサ１００の本体部１０１を重ねつつ、次設の通気路形成用スペーサ１００の先設の通気路形成用スペーサ１００側の例えば先端突出部１２２ａｄ，１２２ｂｄを垂木２０３ａ，２０３ｂに針２２１で固定する。これにより、先設の通気路形成用スペーサ１００の本体部１０１の次設の通気路形成用スペーサ１００側を、次設の通気路形成用スペーサ１００の本体部１０１の先設の通気路形成用スペーサ１００側で支持することができる。
【００９９】
また、以上の実施形態においては、室内側から通気路形成用スペーサ１００を施工する場合を例にとり説明したが、例えば、野地板２０２の施工前に室外側から施工することも勿論可能である。このような場合、通気路形成用スペーサ１００を、起立部１１１ａ，１１１ｂが本体部１０１から室内側に突出し、先端突出部１２２ａｃ，１２２ｂｃ，１２２ａｄ，１２２ｂｄが本体部１０１から室外側に突出する向きで施工する。
【符号の説明】
【０１００】
１０  通気路形成用板材
１１ａ，１１ｂ  第１辺部
１１ｃ，１１ｄ  第２辺部
１５ａｃ，１５ｂｃ，１５ａｄ，１５ｂｄ  スリット
２５ａ，２５ｂ  側部易折曲部
３１ａｃ，３１ｂｃ，３１ａｄ，３１ｂｄ  隅側易折曲部
１００  通気路形成用スペーサ
１０１  本体部
１０２ａ，１０２ｂ  第１端縁部
１７ｃ，１７ｄ  第２端縁部
１１１ａ，１１１ｂ  起立部
１２１ａｃ，１２１ａｄ，１２１ｂｃ，１２１ｂｄ  折曲突出部
１２５ｃ，１２５ｄ  本体突出部
２０３ａ，２０３ｂ  垂木
２３１  通気路
２４１  断熱材
【図１】
2020016126.tif 000003
【図２】
2020016126.tif 000004
【図３】
2020016126.tif 000005
【図４】
2020016126.tif 000006
【図５】
2020016126.tif 000007
【図６】
2020016126.tif 000008
【図７】
2020016126.tif 000009
【図８】
2020016126.tif 000010
【図９】
2020016126.tif 000011
【図１０】
2020016126.tif 000012